(57)【要約】      （修正有）【課題】コアまたは胴体領域を運動させるために、使用者保持面によって支えられた使用者が、システムによって生じる不安定性を補正できるようにする。【解決手段】内部コア領域を包む外側ティッキング層２６を備える使用者保持面１２は、使用者保持装置１０のデッキ４４の少なくとも一部分に取り付けられる。使用者保持面１２は、頭部保持部分ＨＰ、シート保持部分ＳＰおよび脚部保持部分ＦＰを有する。１つの実施形態では不安定装置１４は、頭部保持部分ＨＰに位置付けられる。不安定装置１４は、空気で満たされた少なくとも１つの袋を含む。【選択図】図１Ａ
2013090926.tif 000002
【特許請求の範囲】
【請求項１】
外向き表面と、内部コア領域を画定する内向き表面を持つティッキング層を備える使用者保持面と、
不安定性を生じさせるために前記使用者保持面に取り付けられた不安定装置と、を備えるシステム。
【請求項２】
前記不安定装置が前記使用者保持面に取り外し可能なように取り付けられる、請求項１のシステム。
【請求項３】
前記不安定装置が、スナップ結合、ジッパー結合、接着結合、摩擦結合およびフック結合の少なくとも１つを使用して取り外し可能なように前記の使用者保持面上に取り付けられる、請求項２のシステム。
【請求項４】
前記使用者保持面の一部を支える使用者保持装置をさらに備える、請求項１のシステム。
【請求項５】
前記不安定装置が少なくとも１つの袋をさらに備える、請求項１のシステム。
【請求項６】
前記袋中の流体を選択的に保持するように構成された少なくとも１つの弁をさらに備える、請求項５のシステム。
【請求項７】
前記袋を可変的に膨張させるよう構成された送風機をさらに備える、請求項５のシステム。
【請求項８】
前記袋と流体的に連結した流体供給ユニットをさらに備える、請求項５のシステム。
【請求項９】
前記流体供給ユニットと通信している制御装置をさらに備え、前記制御装置が、前記袋を可変的に膨張させるために前記流体供給ユニットを動作させるように構成されている、請求項８のシステム。
【請求項１０】
前記制御装置と通信しているナースコールシステムをさらに備える、請求項９のシステム。
【請求項１１】
前記制御装置と通信している通信ネットワークをさらに備える、請求項９のシステム。
【請求項１２】
前記通信ネットワークと通信している通信ステーションをさらに備える、請求項１１のシステム。
【請求項１３】
前記通信ネットワークと通信している電子カルテシステムをさらに備える、請求項１１のシステム。
【請求項１４】
前記不安定装置が前記外向き表面上に取り付けられる、請求項１のシステム。
【請求項１５】
前記不安定装置が前記内向き表面上に取り付けられる、請求項１のシステム。
【請求項１６】
前記不安定装置が前記ティッキング層と一体である、請求項１のシステム。
【請求項１７】
使用者保持装置と、
前記使用者保持装置に取り付けられた流体供給ユニットと、
前記流体供給ユニットと流体連通している不安定装置と、を備えるシステム。
【請求項１８】
前記流体供給ユニットと通信している制御装置をさらに備える、請求項１７のシステム。
【請求項１９】
制御装置および加圧流体供給源を備える使用者保持装置上で使用するための不安定装置であって、
前記加圧流体供給源と流体連通しており、不安定性を発生させるように構成された少なくとも１つの袋と、
前記の袋と前記の加圧流体供給源の間の流体経路にあるコネクタと、を備える不安定装置。
【請求項２０】
前記袋と、前記制御装置と通信している前記加圧流体供給源の間の流体経路にある弁をさらに備える、請求項１９の不安定装置。
【請求項２１】
外向き表面と内向き表面を持つティッキング層を備える使用者保持面をさらに備え、前記内向き表面が内部コア領域を画定する、請求項１９の不安定装置。
【請求項２２】
前記袋が前記内向き表面上に取り付けられる、請求項２１の不安定装置。
【請求項２３】
前記袋が前記外向き表面上に取り付けられる、請求項２１の不安定装置。
【請求項２４】
前記袋が前記ティッキング層と一体である、請求項２１の不安定装置。
【請求項２５】
前記袋が前記内部コア領域と一体である、請求項２１の不安定装置。
【請求項２６】
使用者保持面のための不安定装置であって、
少なくとも２つの袋と、
少なくとも１つの袋と流体連通している流体供給ユニットと、
少なくとも１つの袋と流体的に連結されている少なくとも１つの弁と、
前記流体供給ユニットおよび前記弁の少なくとも１つと通信している制御装置を備え、前記制御装置が、少なくとも１つの袋の容積を変化させ、前記使用者保持面の傾斜を変化させて不安定性を生じさせるように構成された、不安定装置。
【発明の詳細な説明】
【背景技術】
【０００１】
患者保持装置によって保持されている患者の運動を支援するためにいくつかのシステムが開発されているが、この分野には継続的な開発のニーズが存在する。
【発明の概要】
【０００２】
本開示には、添付した請求項に詳説に記述した特徴および／または単独あるいは任意の組み合わせにより特許性のある主題を構成しうる下記の特徴のうち１つ以上の特徴が含まれている。
【０００３】
本開示のシステムの１つの実施形態は、外向き表面と内向き表面を持つティッキング層を備える使用者保持面を含み、内向き表面は内部コア領域を画定する。不安定装置は使用者保持面に取り付けられる。
【０００４】
本開示のシステムの別の実施形態は、使用者保持装置を含む。流体供給ユニットが使用者保持装置に取り付けられる。不安定装置は、流体供給ユニットと流体連通している。
【０００５】
使用者保持装置上で使用するための不安定装置の本開示の別の実施形態は、制御装置および加圧流体供給源を備え、不安定装置は、加圧流体供給源と流体連通した少なくとも１つの袋、および袋と加圧流体供給源の間の流体経路にあるコネクタを備える。
【０００６】
使用者保持面のための不安定装置の本開示のまた別の実施形態は、少なくとも２つの袋を含む。流体供給ユニットは、少なくとも１つの袋と流体連通している。少なくとも１つの弁は、少なくとも１つの袋と流体的に連結されている。制御装置は、少なくとも１つの袋の流体容積を変化させるため、少なくとも１つの流体供給ユニットおよび弁と通信している。これにより、使用者保持面の傾きを変化させると、不安定性が生じる。
【０００７】
本明細書に組み込まれておりその一部を形成する添付の図面は、記述と共に請求する主題のいくつかの態様を例示し、説明とあわせて請求する主題の原理を説明する役割を果たす。図は次のとおりである。
【図面の簡単な説明】
【０００８】
【図１Ａ】図１Ａは、使用者のコア領域を運動させるためのシステムの図解であり、ここで不安定装置は円筒の部分を含み、使用者保持面の頭部保持部分と組み合わされ、本明細書の教示の原理に従って作製されている。
【図１Ｂ】図１Ｂは、図１Ａのシステムの断面図であり、ここで不安定装置は使用者保持面のティッキング層の下に配置されている。
【図１Ｃ】図１Ｃは、図１Ａのシステムの断面図であり、ここで不安定装置は使用者保持面のティッキング層の上に配置されている。
【図２】図２は、使用者のコア領域を運動させるように構成され、本明細書の教示に従って作製された図１のシステムで保持される使用者の図解である。
【図３】図３は、使用者のコア領域を運動させるためのシステムの図解であり、ここで不安定装置は球状の部分であり、使用者保持面の頭部保持部分と組み合わされ、本明細書の教示の原理に従って作製されている。
【図４Ａ】図４Ａは、使用者のコア領域を運動させるためのシステムの図解であり、ここで不安定装置は使用者保持面のシート保持部分と一体となった円筒の部分であり、本明細書の教示の原理に従って作製されている。
【図４Ｂ】図４Ｂは、使用者のコア領域を運動させるためのモジュラーシステムの図解であり、ここで不安定装置は使用者保持面の上に取り付けられた円筒の部分であり、本明細書の教示の原理に従って作製されている。
【図５】図５は、使用者のコア領域を運動させるためのシステムの図解であり、ここで不安定装置は球状の部分であり、使用者保持面のシート保持部分と組み合わされ、本明細書の教示の原理に従って作製されている。
【図６Ａ】図６Ａは、使用者のコア領域を運動させるためのシステムの図解であり、ここで少なくとも１つの袋内の圧力は、使用者保持面の傾きを変えるために変化し、本明細書の教示の原理に従って作製されている。
【図６Ｂ】図６Ｂは、使用者のコア領域を運動させるように構成され、本明細書の教示に従って作製された図６Ａのシステムで保持される使用者の図解である。
【図７Ａ】図７Ａは、使用者のコア領域を運動させるためのシステムの１つの実施形態の概略図である。
【図７Ｂ】図７Ｂは、使用者のコア領域を運動させるためのシステムの別の実施形態の概略図である。
【発明を実施するための形態】
【０００９】
請求する主題の実施形態およびそのさまざまな機能と利点についての詳細は、添付の図面で記述および／または図解され、以下の説明で詳述される非限定的な実施形態および実施例を参照しながら、より完全に説明される。図面に図解される機能・特徴は、必ずしも一定の比率で拡大縮小して描かれておらず、本明細書で明示的に言及されていない場合でも、当業者であれば認識できるように、１つの実施形態の機能・特徴は他の実施形態で用いられ得ることに注意すべきである。良く知られた部品およびプロセス技術の記述は、記載した請求する主題の実施形態を不必要に分かりにくくしないようにするため、簡単に言及されるかまたは省略されることがある。本明細書に使用される実施例は、請求する主題が実施される方法の理解を助け、さらに当業者が本明細書に記載した請求する主題の実施形態を実施できるようにすることのみを意図するものである。従って、本明細書の実施例および実施形態は、請求主題の範囲を制限するものとして解釈されるべきではなく、添付の請求項および適用法によってのみ定義される。さらに、参照番号は図面のいくつかの図を通して類似の部分を示すことに留意されたい。
【００１０】
本明細書に記載した特定の方法論、プロトコル、器具、装置、材料、用途等は変化することがあるため、請求する主題はこれらに限定されないことが理解される。本明細書に使用される用語は、特定の実施形態を説明することのみを目的とし、請求主題の範囲を限定することを意図しないことも理解されるべきである。本明細書および添付した請求の範囲で使用するとき、文脈により明らかにそうでないことが示されていない限り、単数形（「ａ」、「ａｎ」、および「ｔｈｅ」）には、複数の言及が含まれることに注意する必要がある。
【００１１】
別途定義されていない限り、本明細書で使用した技術的および科学的な用語は、当業者によって一般に理解されているものと同一の意味を持つ。
【００１２】
図１Ａには、本開示の１つの例示的な実施形態による、使用者保持装置１０を示す。１つの実施形態では、使用者保持装置１０は病院用ベッドである。使用者保持装置１０は、下部フレームまたはベース３８、下部フレーム３８と結合された複数の保持部、下部フレーム３８の上で複数の保持部上に支えられる上部フレーム４２を含む。使用者保持装置１０は、上部フレーム上で支えられるデッキ４４も含む。使用者保持装置１０は、別の実施形態ではストレッチャーまたは手術台でもよい。内部コア領域を包む外側ティッキング層２６を備える使用者保持面１２は、使用者保持装置１０のデッキ４４の少なくとも一部分に取り付けられる。図１Ａに示されるように、使用者保持面１２は、頭部保持部分ＨＰ、シート保持部分ＳＰおよび脚部保持部分ＦＰを有する。図１Ａ、図２、図３に示されるように、１つの実施形態では不安定装置１４は、頭部保持部分ＨＰに位置付けられる。不安定装置１４は、空気で満たされた少なくとも１つの袋を含む。別の実施形態では、袋はゲル物質で満たされ、また別の実施形態では袋はビーズで満たされる。不安定装置１４の袋は、他の任意の媒体で満たすことができる。不安定装置１４は、フォーム、ゴム、木、複合材料またはプラスチック材料でできており、１つの実施形態では、袋を持たない場合があり、不安定装置１４の構造強度は材料と構造設計の剛性により提供される。図１Ａに示すように、不安定装置１４は、使用者保持面１４の頭部保持部分ＨＰの長さに沿って位置付けられ、円筒形キャップの形状である。または、不安定装置１４は、図３および図５に示されるように、球形キャップの形状でもあり得る。別の実施形態では、不安定装置１４は、少なくとも１つの凸面を持つ他の任意の形状でもよく、ここで凸面は患者と接触する。図４Ａ、図４Ｂ、図５、図６Ａおよび図６Ｂは、不安定装置１４がシート保持部分ＳＰに配置されている例示的な実施形態である。
【００１３】
図１Ｂに見られるように、本開示の例示的な実施形態は、内部コア領域を包む外側ティッキング層２６を備える使用者保持面１４の断面図を示している。１つの実施形態では、ティッキング層２６は使用者保持面１４と一体であるが、別の実施形態では、ティッキング層２６はマットレスカバーまたはベッドシーツであってもよい。図１Ｂに示されるように、不安定装置１４は、ティッキング層２６の下に位置する袋を備える。流体供給ユニット２０は袋と流体的に連結しており、袋を膨張または収縮させる。流体供給ユニット２０の動作は、制御装置２２で制御される。
【００１４】
図１Ｃに見られるように、本開示の例示的な実施形態は、内部コア領域を包む外側ティッキング層２６を備える使用者保持面１４の断面図を示している。図１Ｃに示されるように、不安定装置１４は、ティッキング層２６の上に位置する袋を備える。流体供給ユニット２０は袋と流体的に連結しており、コネクタ２８を介して袋を膨張または収縮させる。流体供給ユニット２０の動作は、制御装置２２で制御される。１つの実施形態では、不安定装置１４は、使用者保持面１２上に取り外し可能なように取り付けられ、コネクタ２８は連結の急速着脱の役割を果たし、不安定装置１４を流体供給ユニット２０に容易に着脱できる。また別の実施形態では、不安定装置１４の袋は、ティッキング層２６と一体とし得る。
【００１５】
図２に見られるように、本開示の例示的な実施形態は、使用中の不安定装置１４を示す。不安定装置１４は患者を支えている凸面を持ち、これによって患者は、不安定装置１４のいずれかの側に偏りやすくなる。患者がまっすぐな姿勢を保とうとすると、患者はコアまたは胴体領域を使用しそれにより運動することになる。コアまたは胴体領域を標的とする筋肉の使用によって、筋萎縮を防ぎ、筋力を増強し、それによりベッドに出入りする患者の可動性が促進される。
【００１６】
図４Ａに見られるように、本開示の例示的な実施形態では、不安定装置１４は流体供給ユニット２０によって可変的に膨張する少なくとも１つの袋を備える。１つの実施形態では、不安定装置１４は、使用者保持面１２の外側ティッキング層２６の外面に取り付けられる。不安定装置は、別の実施形態では、外側ティッキング層２６と内部コア領域の間に取り付けられるか、またはさらに別の実施形態では、使用者保持面１２の外側ティッキング層２６と一体である。使用者保持面１２の膨張または収縮など、他の動作のために使用され得る、使用者保持装置１０と一体である流体供給ユニット２０によって、不安定装置１４に流体が供給される。別の実施形態では、不安定装置１４は専用の流体供給ユニット２０を持つ。１つの実施形態では、弁１６は不安定装置から出る流体の流れを調節するが、別の実施形態では、弁１６は不安定装置１４に出入りする両方の流体の流れを調節する。弁１６は、手動で操作されるか、または別の実施形態では制御装置２２で弁１６の動作を制御しうる。制御装置２２は流体供給ユニット２０を制御し、従って不安定装置１４の袋内の容積および圧力を制御する。１つの実施形態では、制御装置２２は使用者保持装置１０と一体であり、使用者保持装置１０の他の機能の制御に関与するが、別の実施形態では、不安定装置１４は専用の制御装置２２を持つ。圧力センサー１８は袋の中に取り付けられ、袋内部の圧力を示す信号を制御装置２２に送信する。別の実施形態では、圧力センサー１８は袋の外側に取り付けることができる。図４Ａに見られるように、例示的な実施形態において、不安定装置１４はシート部分に位置し、患者がベッドから出入りする姿勢で座っている時にコアを強化することができる。制御装置２２は、制御信号を提供または取得することができる、プログラム可能または事前プログラムされた任意の装置とし得る。
【００１７】
図４Ｂに見られるように、本開示の例示的な実施形態では、不安定装置１４は送風機２４によって可変的に膨張する少なくとも１つの袋を備える。不安定装置１４は、モジュラー内蔵式ユニットで、使用者保持面１２上のシート保持部分ＳＰに取り付けられる。別の実施形態では、不安定装置１４は、頭部保持部分ＨＰまたは脚部保持部分ＦＰのどちらかに取り付けられ得る。図４Ｂに示されるように、モジュラー不安定装置１４は、１つの実施形態では、面ファスナー結合で使用者保持面１２に取り付けられる。別の実施形態では、モジュラー不安定装置１４は、接着結合、ジッパー結合、ボタン結合、摩擦結合、スナップ結合またはねじ結合で、使用者保持面１２に取り付けられ得る。図４Ｂに見られるように、不安定装置１４は、送風機２４の動作を制御する制御装置２２をさらに備える。弁１６は不安定装置１４から出る流体の流れを調節するが、別の実施形態では、弁１６は不安定装置１４に出入りする両方の流体の流れを調節する。１つの実施形態では、弁１６は手動で操作されるが、別の実施形態では制御装置２２が弁１６の動作を制御する。
【００１８】
図６Ａおよび図６Ｂに見られるように、本開示の１つの例示的な実施形態では、使用者保持面１２のシート保持部分ＳＰは、少なくとも２つの袋を備える。圧力センサー１８は少なくとも１つの袋の中に取り付けられ、袋内部の圧力を示す信号を制御装置２２に送信する。別の実施形態では、圧力センサー１８は、袋の外側に取り付けてもよい。１つの実施形態では、使用者保持面１２の膨張または収縮など、他の動作のために使用され得る、使用者保持装置１０と一体である流体供給ユニット２０によって、不安定装置１４に流体が供給される。別の実施形態では、不安定装置１４は専用の流体供給ユニット２０を持つ。弁１６は不安定装置から出る流体の流れを調節するが、別の実施形態では、弁１６は不安定装置１４に出入りする両方の流体の流れを調節する。１つの実施形態では、弁１６は手動で操作されるが、別の実施形態では制御装置２２が弁１６の動作を制御する。制御装置２２は流体供給ユニット２０を制御し、従って不安定装置１４の袋内の容積および圧力を制御する。１つの実施形態では、制御装置は使用者保持装置１０と一体であるが、別の実施形態では、不安定装置１４は専用の制御装置２２を持つ。制御装置２２は、制御信号を提供または取得することができる、プログラム可能または事前プログラムされた任意の装置とし得る。図６Ａおよび図６Ｂに示されるように、不安定装置１４は、少なくとも１つの袋がシート保持部分ＳＰの他方の袋に対して流体が差別的に満たされるように構成される。図６Ｂに示されるように、袋のこの異なる容積のために、シート保持部分ＳＰの少なくとも一部が傾斜する。
【００１９】
図７Ａに見られるように本開示の例示的な実施形態では、不安定装置１４は流体供給ユニット２０によって可変的に膨張および収縮する少なくとも１つの袋を備える。制御装置２２は、流体供給ユニット２０と通信し、その動作を制御する。制御装置２２は通信ネットワーク３２と通信している。通信ネットワーク３２は、広域ネットワーク（ＷＡＮ）、ローカルエリアネットワーク（ＬＡＮ）、仮想プライベートネットワーク（ＶＰＮ）、電話線、光通信、インターネット通信またはテレックスを含むがこれに限定されない、任意のタイプとし得る。通信ネットワーク３２は、少なくとも１つの電子カルテ（ＥＭＲ）３０、病院通信ステーション３６、およびナースコールシステム３４と通信している。通信ステーション３６は、１人の介護者が１人以上の患者をモニターし得る集中化した場所である。１つの実施形態では、通信ステーション３６は固定式とし得るが、別の実施形態では、迅速な配置に適応するための移動式ユニットとしてもよい。
【００２０】
図７Ｂに見られるように、本開示の例示的な実施形態では、不安定装置１４は流体供給ユニット２０によって可変的に膨張する少なくとも１つの袋を備える。制御装置２２は、流体供給ユニット２０と通信し、その動作を制御する。圧力センサー１８は袋の中に取り付けられ、袋内部の圧力を示す信号を制御装置２２に送信する。別の実施形態では、圧力センサー１８は、袋の外側に取り付けられ得る。この実施形態では、少なくとも１つの弁１６が袋の可変的収縮を可能にする。制御装置２２は弁１６の動作を制御する。制御装置２２は通信ネットワーク３２とも通信している。通信ネットワーク３２は、広域ネットワーク（ＷＡＮ）、ローカルエリアネットワーク（ＬＡＮ）、仮想プライベートネットワーク（ＶＰＮ）、電話線、光通信、インターネット通信またはテレックスを含むがこれに限定されない、任意のタイプとし得る。通信ネットワーク３２は、少なくとも１つの電子カルテ（ＥＭＲ）３０、病院通信ステーション３６、およびナースコールシステム３４と通信している。
【００２１】
主題を記述する文脈における用語「ａ」、「ａｎ」および「ｔｈｅ」の使用ならびに類似の指示対象（特に以下の請求項に関連して）は、本明細書に別途指定されているか、または文脈により明らかにそうでないことが示されていない限り、単数と複数両方を網羅すると解釈されるべきである。本明細書の値の範囲の記述は、本明細書に別途指定されていない限り、範囲内にある別個の各値に個別に言及する簡単な方法としての役割を果たすことのみを意図しており、別個の各値は本明細書で個別に記述されたかのように、明細書に組み込まれる。さらに、求めている保護の範囲は、その資格があるその任意の同等物と共に本明細書に後述した請求項によって規定されるもので、上述した説明は例示のみを目的としており、制限することが目的ではない。本明細書に提供された任意およびすべての実施例、または例示のための用語（例えば、「など」）の使用は、主題をより良く説明することのみを意図し、別途に請求していない限り、主題の範囲に制限をもたらさない。請求項および明細書の両方において、「に基づく」という用語および結果をもたらす条件を示す類似の句の使用は、その結果をもたらす他の条件を除外することは意図していない。本明細書のいかなる用語も、任意の非特許請求要素を、特許請求されている本発明の実施にとって不可欠なものとして示していると解釈されるべきではない。
【００２２】
特許請求された主題を実行するために本発明者が知る最良の態様を含む、好適な実施形態が本明細書に記載されている。もちろん、これらの好適な実施形態の変形も上述の説明を読めば、当業者には明らかとなる。本発明者は当業者がこのような変形を必要に応じて採用することを予期しており、本発明者は特許請求された主題が本明細書に具体的に記述された以外の方法で実施されることを意図している。従って、この特許請求された主題は、適用法により許容される場合、本明細書に添付された請求項に記述されている主題のすべての変更および同等物を含む。さらに、本明細書に別途指定されているか、または文脈によりそうでないことが明らかに示されていない限り、その可能性のあるすべての変形の上述の要素の任意の組み合わせが包含される。
【００２３】
上記に引用された参考文献および出版物は、それぞれが参照によって個別に組み込まれるのと同じ程度まで、参照によりその全体が明示的に組み込まれる。
【図１Ａ】
2013090926.tif 000003
【図１Ｂ】
2013090926.tif 000004
【図１Ｃ】
2013090926.tif 000005
【図２】
2013090926.tif 000006
【図３】
2013090926.tif 000007
【図４Ａ】
2013090926.tif 000008
【図４Ｂ】
2013090926.tif 000009
【図５】
2013090926.tif 000010
【図６Ａ】
2013090926.tif 000011
【図６Ｂ】
2013090926.tif 000012
【図７Ａ】
2013090926.tif 000013
【図７Ｂ】
2013090926.tif 000014
【外国語明細書】
2013090926.tif 000015
2013090926.tif 000016
2013090926.tif 000017
2013090926.tif 000018
2013090926.tif 000019
2013090926.tif 000020
2013090926.tif 000021
2013090926.tif 000022
2013090926.tif 000023
2013090926.tif 000024
2013090926.tif 000025
2013090926.tif 000026
2013090926.tif 000027
2013090926.tif 000028
2013090926.tif 000029
2013090926.tif 000030
2013090926.tif 000031
2013090926.tif 000032
2013090926.tif 000033
2013090926.tif 000034
2013090926.tif 000035
2013090926.tif 000036
2013090926.tif 000037
2013090926.tif 000038
2013090926.tif 000039